(57)【要約】【課題】印画中に、吐出部を加湿することで、インクの乾燥や増粘による不吐出を防止するとともに、にじみのない印画物を印画する。【解決手段】プリンタ装置１は、ヘッドカートリッジ３に、記録紙２の搬送方向の上流側から下流側に加湿液、イエロ、マゼンタ、シアン、ブラックのインクカートリッジ１０ｗ，１０ｙ，１０ｍ，１０ｃ，１０ｋが順に並設され、システムコントローラ２２が、加湿液のノズル列１５ｗより加湿液滴ｗを記録紙２に吐出し、記録紙２に吐出された加湿液滴ｗが記録紙２から蒸発することにより、印画中に各色のインクカートリッジ１０ｙ，１０ｍ，１０ｃ，１０ｋのノズル列１５ｙ，１５ｍ，１５ｃ，１５ｋ及びこの近傍を加湿することができる。【選択図】図１
2010076319.tif 000002
【特許請求の範囲】
【請求項１】
インク液滴を被記録媒体に吐出する吐出部と、
上記吐出部より上記被記録媒体の搬送方向の上流側に配設され、加湿液滴を上記被記録媒体に吐出する加湿部と、
上記吐出部より上記インク液滴を上記被記録媒体に吐出させ、上記加湿部より上記加湿液滴を上記被記録媒体に吐出させる制御部とを備え、
上記被記録媒体に吐出された加湿液滴が上記被記録媒体から蒸発することにより、印画中に上記吐出部を加湿させるインクジェットプリンタ装置。
【請求項２】
更に、湿度を計測する湿度計測部、又は、温度を計測する温度計測部、又は、上記湿度計測部と上記温度計測部の両方を備え、
上記制御部は、上記湿度計測部により計測された湿度及び上記温度計測部により計測された温度に応じて、上記加湿部より吐出させる加湿液滴の量及び打ち込み方を異ならせて上記加湿部より上記加湿液滴を上記被記録媒体に吐出させる請求項１記載のインクジェットプリンタ装置。
【請求項３】
更に、上記被記録媒体に形成される画像を検出する印画内容検出部を備え、
上記制御部は、上記印画内容検出部により検出された上記被記録媒体に形成される画像に応じて、上記加湿液滴の量や打ち込み方を異ならせて上記加湿部より上記加湿液滴を上記被記録媒体に吐出させる請求項１記載のインクジェットプリンタ装置。
【請求項４】
更に、上記被記録媒体の種類、印画速度及び上記被記録媒体の大きさのいずれか１つ、若しくは、複数を検出する被記録媒体検出部を備え、
上記制御部は、上記被記録媒体検出部により検出された上記被記録媒体の種類、印画速度及び上記被記録媒体の大きさに応じて、上記加湿液滴の量を異ならせて上記加湿部より上記加湿液滴を上記被記録媒体に吐出させる請求項１記載のインクジェットプリンタ装置。
【請求項５】
上記印画内容検出部は、上記被記録媒体の搬送方向の最も上流側に配設された上記吐出部が上記被記録媒体にインクを吐出しない領域を検出し、
上記制御部は、上記印画内容検出部により検出された上記被記録媒体の搬送方向の最も上流側に配設された上記吐出部が上記被記録媒体にインクを吐出しない領域に、上記加湿部により上記加湿液滴を吐出させる請求項３記載のインクジェットプリンタ装置。
【請求項６】
上記印画内容検出部は、上記被記録媒体の搬送方向の最も上流側に配設された上記吐出部が上記被記録媒体にインクを吐出しない領域を検出し、
上記制御部は、上記印画内容検出部により検出された上記被記録媒体の搬送方向の最も上流側に配設された上記吐出部が上記被記録媒体にインクを吐出しない領域に、インクを吐出する領域より多めに上記加湿部より加湿液滴を吐出させる請求項３記載のインクジェットプリンタ装置。
【請求項７】
上記印画内容検出部は、上記吐出部による画素あたりのインク量を検出し、
上記制御部は、上記印画内容検出部により検出された上記吐出部による画素あたりのインク量が、上記被記録媒体の画素あたりの許容限界液滴数に達していない領域に、上記加湿部より加湿液滴を吐出させる請求項３記載のインクジェットプリンタ装置。
【請求項８】
上記加湿液は、無色透明な液体であり、インクから染料成分を除いたもの、又は、水である請求項１記載のインクジェットプリンタ装置。
【請求項９】
上記加湿部の吐出幅は、上記吐出部の吐出幅と略同じ大きさ、若しくは、やや大きめである請求項１記載のインクジェットプリンタ装置。
【請求項１０】
加湿部より加湿液滴を被記録媒体に吐出し、当該被記録媒体に吐出された加湿液滴が当該被記録媒体から蒸発することにより、印画中に吐出部を加湿する吐出部の加湿方法。
【発明の詳細な説明】
【技術分野】
【０００１】
本発明は、印画中に、吐出部を加湿することで、インクの乾燥や増粘による不吐出を防止するとともに、にじみのない印画物を印画するインクジェットプリンタ装置及び吐出部の加湿方法に関する。
【背景技術】
【０００２】
インク液滴を吐出する装置としては、被記録媒体となる記録紙に対し、ヘッドカートリッジよりインク液滴を吐出させ、画像や文字を印画するインクジェット方式のプリンタ装置（以下、単に、インクジェットプリンタ装置ともいう。）がある。このインクジェットプリンタ装置は、低ランニングコスト、装置の小型化、印画画像のカラー化が容易という利点がある。また、インクジェットプリンタ装置では、インクは、複数の色（例えばイエロ、マゼンダ、シアン、ブラック等）のインクがそれぞれ充填されたインクカートリッジからヘッドカートリッジのインク液室等に供給される。
【０００３】
そして、インクカートリッジからヘッドカートリッジのインク液室等に供給されたインクは、インク液室内に配置された発熱抵抗体等の圧力発生素子で発生する圧力によって押圧される。その結果、インク液室内のインクは、ヘッドカートリッジに設けられた微小なノズルより吐出されることになる。発熱抵抗体を用いた場合を具体的に述べると、インク液室内に配置された発熱抵抗体で、インク液室内のインクを加熱し、発熱抵抗体上に気泡を発生させ、この気泡により発生する圧力でインク液滴をノズルから吐出させる。そして、吐出させたインク液滴を被記録媒体となる記録紙等に着弾させて画像や文字を印画する。
【０００４】
このようなインクジェットプリンタ装置は、印画するときに、吐出部でインクが乾燥や増粘し、不吐出になる場合がある。このため、インクジェットプリンタ装置は、印画中以外は吐出面をキャップして乾燥を防止したり、印画直前に、非印画領域にインク液滴を何十発乃至何百発と吐出させたりして乾燥や増粘したインクを取り除くことなどが一般に行なわれている。
【０００５】
インクジェットプリンタ装置は、これらの処理で乾燥や増粘したインクを取り除いたりすることにより、印画開始時に、すべての吐出部からインク液滴を吐出できるようにすることができる。しかしながら、インクジェットプリンタ装置は、印画開始時にこのような状態になっていたとしても、印画中にほとんど使われない吐出部に関しては印画中にだんだんインクが乾燥や増粘してしまう。
【０００６】
このため、インクジェットプリンタ装置は、このような印画中にほとんど使われていなかった吐出部を使って印画の最後の方でインク液滴を吐出させようとすると、場合によってはインクが乾燥や増粘してしまい不吐出になってしまうことがある。
【０００７】
また、シリアルヘッド方式のインクジェットプリンタ装置の場合には、この問題を回避するために、記録紙の両サイドの非印画領域にヘッドが来たときに、この非印画領域にインク液滴を吐出する等の手段を設けているものもある。これにより、シリアルヘッド方式のインクジェットプリンタ装置は、あまり使われなかった吐出部の乾燥や増粘を防止している。
【０００８】
しかしながら、ラインヘッド方式のインクジェットプリンタ装置の場合には、印画の途中で非印画領域にインク液滴を吐出するわけにはいかず、印画長の長い印画物を印画するのが困難であった。
【０００９】
吐出部のインクが乾燥や増粘しないように加湿するという考えは本発明以前にも、特許文献１に提案されている。特許文献１には、加湿器により吐出部近傍を加湿しつつ、吐出部からインクを押し出して吐出面をぬらすことにより、吐出部の乾燥や増粘を防止する方法が提案されている。
【００１０】
しかしながら、この加湿方法では、印画していないときに加湿することはできるが、印画中に加湿することができない。
【００１１】
また、特許文献２には、被記録媒体に加湿ローラで水分を含ませ、加熱部により加熱することで、被記録媒体から水分を蒸発させ、吐出部の乾燥や増粘を防止する方法が提案されている。この方法であれば、印画中に加湿することが可能であるが、加湿量の制御が難しく、印画内容によってはにじんでしまう可能性がある。
【００１２】
【特許文献１】特開２００６―２８１５３９号公報
【特許文献２】特開昭６４―７１７５６号公報
【発明の開示】
【発明が解決しようとする課題】
【００１３】
本発明は、このような従来の事情に鑑みて提案されたものであり、印画中に、吐出部を加湿することで、インクの乾燥や増粘による不吐出を防止することができるとともに、にじみのない印画物を印画することができるインクジェットプリンタ装置及び吐出部の加湿方法を提供することを目的とする。
【課題を解決するための手段】
【００１４】
上述した目的を達成するために本発明に係るインクジェットプリンタ装置は、インク液滴を被記録媒体に吐出する吐出部と、上記吐出部より上記被記録媒体の搬送方向の上流側に配設され、加湿液滴を上記被記録媒体に吐出する加湿部と、上記吐出部より上記インク液滴を上記被記録媒体に吐出させ、上記加湿部より上記加湿液滴を上記被記録媒体に吐出させる制御部とを備え、上記被記録媒体に吐出された加湿液滴が上記被記録媒体から蒸発することにより、印画中に上記吐出部を加湿させる。
【００１５】
また、本発明に係る吐出部の加湿方法は、加湿部より加湿液滴を被記録媒体に吐出し、当該被記録媒体に吐出された加湿液滴が当該被記録媒体から蒸発することにより、印画中に吐出部を加湿するものである。
【発明の効果】
【００１６】
本発明によれば、加湿部より加湿液滴を被記録媒体に吐出させることにより、被記録媒体に吐出された加湿液滴が被記録媒体から蒸発することで、印画中に吐出部を加湿することができ、これにより、印画中に吐出部のインクが乾燥や増粘して、不吐出になったり、吐出方向が曲がったりすることを防止することができる。
【００１７】
また、本発明によれば、制御部により、加湿部より吐出する加湿液滴の加湿量や打ち込み方を制御することができるので、インクのにじみを防止することができる。
【発明を実施するための最良の形態】
【００１８】
以下、本発明が適用されたインクジェットプリンタ装置（以下、プリンタ装置という。）１について、図面を参照して具体的に説明する。
【００１９】
図１及び図２に示すように、本発明が適用されたプリンタ装置１は、被記録媒体である記録紙２の幅方向、すなわち図１中矢印Ｗ方向に吐出部、いわゆるノズル１３を略直線状に色毎に並設した、マルチラインヘッド型のプリンタ装置である。具体的に、このプリンタ装置１は、所定の方向に搬送される記録紙２に対してインクを吐出し、着弾させることによって、例えばパーソナルコンピュータ等の情報処理装置より入力された文字データや画像データ等といった印画データに応じたインクドットからなる文字や画像等を記録紙２に記録する。
【００２０】
このプリンタ装置１は、記録紙２に対してインクを吐出するヘッドカートリッジ３と、このヘッドカートリッジ３が装着される装置本体４とを備えている。
【００２１】
図１及び図２に示すように、プリンタ装置１を構成するヘッドカートリッジ３には、イエロ（Ｙ）が充填されたインクカートリッジ１０ｙ、マゼンタ（Ｍ）が充填されたインクカートリッジ１０ｍ、シアン（Ｃ）が充填されたインクカートリッジ１０ｃ、ブラック（Ｋ）が充填されたインクカートリッジ１０ｋ及び加湿液（Ｗ）が充填されたインクカートリッジ１０ｗ（以下、単に、インクカートリッジ１０ともいう。）が装着されている。具体的に、ヘッドカートリッジ３には、記録紙２の搬送方向の上流側から下流側、すなわち図１及び図２中矢印Ａ方向に、加湿液のインクカートリッジ１０ｗ、イエロのインクカートリッジ１０ｙ、マゼンタのインクカートリッジ１０ｍ、シアンのインクカートリッジ１０ｃ、ブラックのインクカートリッジ１０ｋの順に並設されている。
【００２２】
このヘッドカートリッジ３は、これら各色のインク及び加湿液がそれぞれ充填されたインクカートリッジ１０からヘッドカートリッジ３の図示しないインク液室等に各色のインク及び加湿液が供給される。そして、ヘッドカートリッジ３は、インク液室内に配置された圧力発生素子である発熱抵抗体１１ｗ，１１ｙ，１１ｍ，１１ｃ，１１ｋ（以下、単に、発熱抵抗体１１ともいう。）でインク液室内の各色のインク及び加湿液を加熱し、発熱抵抗体１１上の各色のインク及び加湿液に気泡を発生させ、この気泡により発生する圧力でインク液滴及び加湿液滴ｗをノズル１３から吐出させる。
【００２３】
ここで、加湿液は、溶媒と染料成分、溶媒と顔料成分、又は、これらにその他の添付成分を加えたものからなる一般的に用いられるインクから染料成分又は顔料成分を除いた無色透明な液体である。なお、加湿液は、純水や、水に防カビ剤等を添付した無色透明な液体であってもよい。
【００２４】
また、ヘッドカートリッジ３のインク液滴及び加湿液滴ｗを吐出する吐出面１２には、図３に示すように、インク液滴及び加湿液滴ｗを吐出するノズル１３が形成されており、複数のノズル１３が、一つの単位１４（以下、ノズル単位１４という。）となり、このノズル単位１４が記録紙２の幅方向、すなわち図３中Ｗ方向に、略千鳥状、即ち略直線状に並設されている。本例の各ノズル単位１４では 約４２．３ミクロンピッチ（６００ｄｐｉ相当）でノズル１３が並んでいるものとする。また、これらのノズル１３にはそれぞれ個々にインク液室と発熱抵抗体１１があり、個々の発熱抵抗体１１を駆動することにより、個々のノズル１３からインク液滴及び加湿液滴ｗを吐出させることができる。
【００２５】
また、略直線状に並設された加湿液のノズル列１５ｗ、イエロのノズル列１５ｙ、マゼンタのノズル列１５ｍ、シアンのノズル列１５ｃ、ブラックのノズル列１５ｋ（以下、単にノズル列１５ともいう。）は、記録紙２の幅方向の幅（図３中Ｗ方向の幅）が、記録紙２の幅サイズ、例えば、Ａ４、Ａ３サイズの幅に合わせて形成されている。なお、ノズル１３は、略千鳥状に並設されることに限定されるものではなく、記録紙２の幅方向、即ち図３中Ｗ方向に、一直線状に並設されるようにしてもよい。
【００２６】
また、吐出面１２には、記録紙２の搬送方向の上流側から下流側、すなわち図１及び図２中矢印Ａ方向に、加湿液のノズル列１５ｗ、イエロのノズル列１５ｙ、マゼンタのノズル列１５ｍ、シアンのノズル列１５ｃ、ブラックのノズル列１５ｋの順に並設されている。
【００２７】
以上のような構成を有するヘッドカートリッジ３は、図４（Ａ）に示すように、記録紙２の搬送方向の最も上流側に並設され加湿液のノズル列１５ｗから加湿液滴ｗを図４中Ａ方向に搬送される記録紙２に吐出する。そして、図４（Ｂ）に示すように、記録紙２が移動しながら記録紙２に吐出された加湿液滴ｗが記録紙２から蒸発することにより、加湿液のノズル列１５ｗより記録紙２の搬送方向の下流側に並設されたイエロ、マゼンタ、シアン、ブラックのノズル列１５ｙ，１５ｍ，１５ｃ，１５ｋ及びこれらの近傍を加湿する。
【００２８】
一方、ヘッドカートリッジ３は、イエロのノズル列１５ｙ、マゼンタのノズル列１５ｍ、シアンのノズル列１５ｃ、ブラックのノズル列１５ｋからインク液滴を記録紙２に吐出し、印画データに応じた印画画像等を記録紙２に記録する。
【００２９】
なお、マゼンタのノズル列１５ｍ及びこの近傍は、加湿液滴ｗにより加湿されるとともに、記録紙２の搬送方向の上流側に隣接して並設されたイエロのノズル列１５ｙからインク液滴が記録紙２に吐出されたとき、記録紙２に吐出されたイエロのインク液滴が記録紙２から蒸発することによっても加湿される。
【００３０】
また、シアンのノズル列１５ｃ及びこの近傍も、加湿液滴ｗにより加湿されるとともに、記録紙２の搬送方向の上流側に並設されたイエロ及びマゼンタのノズル列１５ｙ，１５ｍからインク液滴が記録紙２に吐出されたとき、記録紙２に吐出されたイエロ及びマゼンタのインク液滴が記録紙２から蒸発することによっても加湿される。
【００３１】
また、ブラックのノズル列１５ｋ及びこの近傍も、加湿液滴ｗにより加湿されるとともに、記録紙２の搬送方向の上流側に並設されたイエロ、マゼンタ及びシアンのノズル列１５ｙ，１５ｍ，１５ｃからインク液滴が記録紙２に吐出されたとき、記録紙２に吐出されたイエロ、マゼンタ及びシアンのインク液滴が記録紙２から蒸発することによっても加湿される。
【００３２】
すなわち、イエロのノズル列１５ｙの記録紙２の搬送方向の下流側に並設されたマゼンタ、シアン、ブラックのノズル列１５ｍ，１５ｃ，１５ｋ及びこれらの近傍は、加湿液滴ｗにより加湿されるとともに、これらのノズル列１５ｍ，１５ｃ，１５ｋより記録紙２の搬送方向の上流側で吐出されたインク液滴が記録紙２から蒸発することによっても加湿される。
【００３３】
以上のような構成を有するヘッドカートリッジ３は、印画中に各色のノズル列１５ｙ，１５ｍ，１５ｃ，１５ｋ及びこれらの近傍を加湿することができ、各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【００３４】
また、このヘッドカートリッジ３は、加湿液のノズル列１５ｗの幅が、各色のノズル列１５ｙ，１５ｍ，１５ｃ，１５ｋの幅と略同等の広さに設けられているので、各色のノズル列１５ｙ，１５ｍ，１５ｃ，１５ｋの記録紙２の幅方向の両サイドのノズル１３まで加湿をすることができる。なお、加湿液のノズル列１５ｗの幅は、各色のノズル列１５ｙ，１５ｍ，１５ｃ，１５ｋの幅より、やや広めに設けるようにしてもよい。これにより、加湿液のノズル列１５ｗは、略同等の広さの幅のときより、各色のノズル列１５ｙ，１５ｍ，１５ｃ，１５ｋの記録紙２の幅方向の両サイドのノズル１３まで確実に加湿をすることができる。
【００３５】
また、ヘッドカートリッジ３は、加湿液として、インクから染料成分又は顔料成分を除いた無色透明な液体を用いることにより、インクと同様にノズル１３毎に制御することができ、容易に加湿液滴ｗの打ち込み方や加湿量を制御することができる。
【００３６】
このヘッドカートリッジ３が装着される装置本体４は、図２及び図５に示すように、ヘッドカートリッジ３の吐出面１２と所定間隔おいて対向する位置に搬送された記録紙２を支持するプラテン板２０と、吐出面１２に対して記録紙２を搬送する搬送機構２１と、全体の動作を制御するシステムコントローラ２２と、湿度を計測する湿度センサ２３と、温度を計測する温度センサ２４とを有している。
【００３７】
プラテン板２０は、記録紙２の印画位置において、ヘッドカートリッジ３の吐出面１２と平行且つ所定の距離を有して対向するように設けられている。このプラテン板２０は、印画位置に搬送された記録紙２を、後述する搬送機構２１の送りローラ３０及びピンチローラ３１から、排紙ローラ３２及び拍車３３までガイドする。
【００３８】
搬送機構２１は、装置本体４の図示しない収納トレイに収納された記録紙２を搬送する図示しない給紙ローラから搬送された記録紙２を、ヘッドカートリッジ３とプラテン板２０との間に搬送する送りローラ３０及びピンチローラ３１と、印画された記録紙２を装置本体４の図示しない排紙口に搬送する排紙ローラ３２及び拍車３３とを有している。送りローラ３０及びピンチローラ３１は、ヘッドカートリッジ３を基準にして記録紙２の搬送方向の上流側に設けられ、排紙ローラ３２及び拍車３３は、ヘッドカートリッジ３を基準にして記録紙２の搬送方向の下流側に設けられている。
【００３９】
搬送機構２１は、装置本体４の図示しない収納トレイに収納された記録紙２を搬送する図示しない給紙ローラから搬送された記録紙２を、送りローラ３０とピンチローラ３１とで挟持する。そして、搬送機構２１は、駆動モータ等の駆動部３４によって例えば送りローラ３０を軸中心に図２中矢印Ｂ方向に回転駆動させることにより、記録紙２を、ヘッドカートリッジ３とプラテン板２０との間に搬送する。
【００４０】
また、搬送機構２１は、ヘッドカートリッジ３によって印画された記録紙２を、排紙ローラ３２及び拍車３３とで挟持する。そして、搬送機構２１は、駆動モータ等の駆動部３５によって例えば排紙ローラ３２を軸中心に図２中矢印Ｂ方向に回転駆動させることにより、記録紙２を、装置本体４の図示しない排紙口から排紙する。
【００４１】
システムコントローラ２２は、図５に示すように、印画する印画データを一時的に格納する記録部４０と、全体の動作を制御する制御プログラムが格納されるＲＯＭ（Read Only Memory）４１と、ＲＯＭ４１に格納された制御プログラムが一時的にロードされるＲＡＭ（Random Access Memory）４２と、発熱抵抗体１１を制御する吐出制御部４３と、全体の動作を制御する制御部４４とを有している。
【００４２】
記録部４０は、例えば外部の情報処理装置等から入力された印画データを一時的に格納するメモリである。ＲＯＭ４１は、ＥＰ−ＲＯＭ（Erasable Programmable Read-Only Memory）等でなり、全体の動作を制御する制御プログラムが格納されている。ＲＡＭ４２は、ＲＯＭ４１に格納された制御プログラムが印画データに応じて一時的にロードされる。
【００４３】
制御部４４は、ＣＰＵ（Central Processing Unit）で構成されており、ＲＯＭ４１からＲＡＭ４２等にロードされた制御プログラムや外部の情報処理装置等から入力された印画データに応じて全体の動作を制御する。例えば、制御部４４は、外部の情報処理装置等より印画データがシステムコントローラ２２に入力されると、印画データ及び後述する加湿制御部５０を駆動させる加湿駆動信号を吐出制御部４３へ出力する。
【００４４】
吐出制御部４３は、図６に示すように、加湿液の発熱抵抗体１１ｗを制御する加湿制御部５０と、印画する印画データに応じて各色の発熱抵抗体１１ｙ，１１ｍ，１１ｃ，１１ｋを制御するインク制御部５１とからなる。
【００４５】
加湿制御部５０は、加湿駆動パターン発生部６０を有しており、制御部４４より加湿駆動信号が加湿駆動パターン発生部６０に入力されると、加湿駆動パターン発生部６０により加湿液の発熱抵抗体１１ｗを駆動する加湿駆動用データを生成する。そして、加湿制御部５０は、加湿駆動パターン発生部６０により生成された加湿駆動用データを加湿液の発熱抵抗体１１ｗに出力し、発熱抵抗体１１ｗを駆動する。
【００４６】
インク制御部５１は、制御部４４より印画データが入力されると、印画データを色変換部６１によりインク色に対応する４色、すなわちイエロ，マゼンタ，シアン，ブラックの色データに変換する。
【００４７】
そして、インク制御部５１は、色変換部６１により変換された色データを階調補正部６２により階調補正する。そして、インク制御部５１は、階調補正部６２により階調補正された色データをハーフトーニング部６３により各色の発熱抵抗体１１ｙ，１１ｍ，１１ｃ，１１ｋを駆動するインク駆動用データに変換する。そして、インク制御部５１は、ハーフトーニング部６３により変換されたインク駆動用データをそれぞれ発熱抵抗体１１ｙ，１１ｍ，１１ｃ，１１ｋに出力し、イエロ，マゼンタ，シアン，ブラックの順に発熱抵抗体１１ｙ，１１ｍ，１１ｃ，１１ｋを駆動する。
【００４８】
湿度センサ２３は、例えば装置本体４内に少なくとも１つ配置され、プリンタ装置１の周辺の湿度を計測し、湿度計測データをシステムコントローラ２２に出力する。温度センサ２４は、例えば装置本体４内に少なくとも１つ配置され、プリンタ装置１の周辺の温度を計測し、温度計測データをシステムコントローラ２２に出力する。なお、湿度センサ２３及び温度センサ２４は、装置本体４内に配置されることに限定されるものではなく、プリンタ装置１内であれば如何なる位置でもよく、例えばヘッドカートリッジ３内に配置されるようにしてもよい。また、湿度センサ２３及び温度センサ２４は、プリンタ装置１の周辺の温度及び湿度を計測することに限定されるものではなく、装置本体４又はヘッドカートリッジ３内に配置され、プリンタ装置１内、吐出面１２、ヘッドカートリッジ３、装置本体４、インク及び加湿液等のプリンタ装置１に関する温度及び湿度を計測するようなものであればよい。
【００４９】
以下、プリンタ装置１が、印画中に印画を中断することなく、記録紙２に加湿液滴ｗを吐出し、各色のノズル列１５ｙ，１５ｍ，１５ｃ，１５ｋ及びこの近傍の加湿を行う方法について説明する。なお、プリンタ装置１は、図７に示すような、第１乃至第６の印画領域７０，７１，７２，７３，７４，７５を有し、６００ｄｐｉ(dots per inch)の解像度（密度）を有する印画画像を印画する場合について説明していく。
【００５０】
制御部４４は、外部の情報処理装置より入力された印画データに応じて、図示しないヘッドキャップをヘッドカートリッジ３の吐出面１２からはずし、図示しないインク受けに、インク液滴を何十発乃至何百発吐出させて、全ノズルからインクが吐出するようにする。また、装置本体４の図示しない収納トレイに収納された記録紙２を搬送する図示しない給紙ローラから搬送された記録紙２を、送りローラ３０とピンチローラ３１とで挟持させ、駆動モータ等の駆動部３４によって例えば送りローラ３０を軸中心に図２中矢印Ｂ方向に回転駆動させることにより、ヘッドカートリッジ３とプラテン板２０との間に搬送する。
【００５１】
一方、インク制御部５１は、制御部４４より入力された印画データを色変換部６１によりインク色に対応する４色、すなわちイエロ，マゼンタ，シアン，ブラックの色データに変換する。そして、インク制御部５１は、色変換部６１により変換された色データを階調補正部６２により階調補正する。そして、インク制御部５１は、階調補正部６２により階調補正された色データをハーフトーニング部６３により各色の発熱抵抗体１１ｙ，１１ｍ，１１ｃ，１１ｋを駆動するインク駆動用データに変換する。
【００５２】
また、加湿制御部５０は、制御部４４より加湿駆動信号が加湿駆動パターン発生部６０に入力されると、加湿駆動パターン発生部６０により加湿液の発熱抵抗体１１ｗを駆動する加湿駆動用データを生成する。具体的に、加湿制御部５０は、図８（Ａ）に示すように、印画画像の内容に関係なく、３００ｄｐｉの密度で１発ずつ加湿液滴ｗを吐出する加湿駆動用データを生成する。
【００５３】
そして、記録紙２がヘッドカートリッジ３とプラテン板２０との間に搬送され、印画開始信号を受け取ると印画タイミング信号に同期して、加湿制御部５０は、図４（ａ）に示すように、発熱抵抗体１１ｗを印加させ、加湿液のインクカートリッジ１０ｗから供給された加湿液を加熱し、気泡を発生させ、この圧力で加湿液滴ｗを、ノズル列１５ｗからヘッドカートリッジ３とプラテン板２０との間に搬送された記録紙２に、図８（Ａ）に示すように、印画画像の内容に関係なく、例えば３００ｄｐｉの密度で１発ずつ一定に吐出する。
【００５４】
一方、インク制御部５１は、印画位置に応じたインク駆動用データを各色の発熱抵抗体１１ｙ，１１ｍ，１１ｃ，１１ｋにそれぞれ出力し、発熱抵抗体１１ｙ，１１ｍ，１１ｃ，１１ｋを駆動する。この際、印画データによっては、印画中にしばらく吐出させない吐出部もでてくる。これらの吐出部では、通常であれば吐出面１２のインクが蒸発し、乾燥したり増粘したりするが、本発明の場合は、吐出させない吐出部も、記録紙２に着弾した加湿液が蒸発して加湿されるため、乾燥、増粘を防止することができる。
【００５５】
制御部４４は、搬送機構２１の駆動モータ等の駆動部３４，３５を駆動し、印画しながら記録紙２を移動させ、印画が終了すると、印画された記録紙２を、搬送機構２１によって装置本体４の図示しない排紙口から排紙する。
【００５６】
なお、制御部４４は、加湿液滴ｗを記録紙２に３００ｄｐｉの密度で１発ずつ一定に吐出することに限定されるものではなく、印画画像の内容に関係なく、一定の加湿量で加湿液滴ｗを吐出するようなものであればよい。制御部４４は、図８（Ｂ）に示すように、例えば６００ｄｐｉの密度で１発ずつ一定に吐出するようにしてもよく、加湿液滴ｗを吐出する解像度（密度）は適宜変更可能である。
【００５７】
以上のような構成を有するプリンタ装置１は、搬送機構２１によりヘッドカートリッジ３とプラテン板２０との間に搬送された記録紙２に、印画画像の内容に関係なく、一定の加湿量でノズル列１５ｗの全範囲から加湿液滴ｗを吐出する。そして、プリンタ装置１は、記録紙２に吐出された加湿液滴ｗが記録紙２から蒸発することにより、印画中、加湿液のノズル列１５ｗの記録紙２の搬送方向の下流側に並設されたイエロ、マゼンタ、シアン、ブラックのノズル列１５ｙ，１５ｍ，１５ｃ，１５ｋ及びこれらの近傍を、一定の加湿量で全範囲に亘って加湿することができる。
【００５８】
したがって、プリンタ装置１は、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【００５９】
これにより、プリンタ装置１は、例えば図９に示すような印画の最後の方に記録紙２の幅方向に向かって一本線を印画するような、印画中にノズル列１５から印画の最後の方にくるまでインクを吐出しないノズル１３を有する場合であっても、印画画像の内容に関係なく、一定の加湿量で全範囲に亘って加湿することで、印画中に加湿することができ、インクが乾燥や増粘して、不吐出になったり、吐出方向が曲がったりすることを防止することができる。
【００６０】
また、プリンタ装置１は、加湿液のノズル列１５ｗの幅が、各色のノズル列１５ｙ，１５ｍ，１５ｃ，１５ｋの幅と略同等の広さに設けられているので、各色のノズル列１５ｙ，１５ｍ，１５ｃ，１５ｋの記録紙２の幅方向の両サイドのノズル１３まで、確実に加湿をすることができる。
【００６１】
また、プリンタ装置１は、加湿液として、インクから染料成分又は顔料成分を除いた無色透明な液体を用いることにより、インクと同様にノズル１３毎に制御することができるので、容易に加湿液滴ｗの打ち込み方や加湿量を制御することができる。
【００６２】
なお、プリンタ装置１は、印画中に、印画画像の内容に関係なく、記録紙２の全範囲に亘って一定の加湿量で加湿液滴ｗを吐出することに限定されるものではない。プリンタ装置１は、加湿液滴ｗの加湿量を、プリンタ装置１の周辺、プリンタ装置１内、吐出面１２、ヘッドカートリッジ３、装置本体、インク及び加湿液等のプリンタ装置１に関する湿度や温度により異ならせるようにしてもよい。
【００６３】
以下、プリンタ装置１の周辺の湿度や温度により加湿液滴ｗの加湿量を異ならせて、加湿液滴ｗを記録紙２に吐出するプリンタ装置１ａについて説明する。なお、プリンタ装置１の周辺の湿度や温度に限定されるものではなく、上述した湿度や温度であれば、如何なるものでもよい。また、プリンタ装置１ａは、上述したプリンタ装置１と同様の構成を有するので、構成については同じ符号を付して説明は省略する。
【００６４】
すなわち、上述したプリンタ装置１の加湿方法において、制御部４４は、外部の情報処理装置より印画データが入力されると、装置本体４内に配置された湿度センサ２３により計測したプリンタ装置１の周辺の湿度の湿度計測データを加湿制御部５０に出力する。また、制御部４４は、装置本体４内に配置された温度センサ２４により計測したプリンタ装置１の周辺の温度の温度計測データを加湿制御部５０に出力する。更に、制御部４４は、加湿駆動信号を加湿制御部５０に出力する。
【００６５】
そして、加湿制御部５０は、図１０に示すように、湿度計測データ及び温度計測データに応じて、加湿駆動パターン発生部６０により加湿液の発熱抵抗体１１ｗを駆動する加湿駆動用データを生成する。
【００６６】
例えば、加湿制御部５０は、プリンタ装置１ａの周辺の湿度が予め設定されている閾値より低いとき、加湿液滴ｗを吐出する解像度（密度）を高くして加湿液滴ｗの加湿量を多くする加湿駆動用データを生成する。また、加湿制御部５０は、プリンタ装置１ａの周辺の湿度が予め設定されている閾値より高いとき、印画中の乾燥や増粘がしにくくなるので、加湿液滴ｗを吐出する解像度（密度）を低くして加湿液滴ｗの加湿量を少なくする加湿駆動用データを生成する。
【００６７】
また、加湿制御部５０は、プリンタ装置１ａの周辺の温度が予め設定されている閾値より高いとき、加湿液滴ｗを吐出する解像度（密度）を高く設定して加湿液滴ｗの加湿量を多くする加湿駆動用データを生成する。また、加湿制御部５０は、プリンタ装置１ａの周辺の温度が予め設定されている閾値より低いとき、印画中の乾燥や増粘がしにくくなるので、加湿液滴ｗを吐出する解像度（密度）を低くして加湿液滴ｗの加湿量を少なくする加湿駆動用データを生成する。
【００６８】
具体的に、加湿制御部５０は、プリンタ装置１ａの周辺の気温が２０度から２５度、湿度４０％から６０％、すなわち湿度が予め設定されている閾値より低いとき、印画画像の内容に関係なく、例えば３００ｄｐｉの密度で１発ずつ加湿液滴ｗを吐出する加湿駆動用データを生成する。これに対して、加湿制御部５０は、プリンタ装置１ａの周辺の気温が２０度から２５度であるが、湿度は６０％以上、すなわち湿度が予め設定されている閾値より高いとき、印画画像の内容に関係なく、例えば２００ｄｐｉの密度で１発ずつ加湿液滴ｗを吐出する加湿駆動用データを生成する。
【００６９】
そして、加湿制御部５０は、加湿駆動パターン発生部６０により生成された加湿駆動用データを加湿液の発熱抵抗体１１ｗに出力し、加湿液の発熱抵抗体１１ｗを駆動する。
【００７０】
なお、加湿制御部５０は、プリンタ装置１ａの湿度及び温度に応じて、加湿液滴ｗを吐出する回数を異ならせることで、加湿液滴ｗの加湿量を異ならせるようにしてもよい。例えば、加湿制御部５０は、プリンタ装置１ａの湿度が予め設定されている閾値より低いとき、加湿液滴ｗを２回吐出して加湿液滴ｗの加湿量を多くする加湿駆動用データを生成するようにしてもよい。また、加湿制御部５０は、プリンタ装置１ａの湿度が予め設定されている閾値より高いとき、印画中の乾燥や増粘がしにくくなるので、加湿液滴ｗを１回吐出して加湿液滴ｗの加湿量を少なくする加湿駆動用データを生成するようにしてもよい。
【００７１】
また、加湿制御部５０は、プリンタ装置１ａの温度が予め設定されている閾値より高いとき、加湿液滴ｗを２回吐出して加湿液滴ｗの加湿量を多くする加湿駆動用データを生成するようにしてもよい。また、加湿制御部５０は、プリンタ装置１ａの温度が予め設定されている閾値より低いとき、印画中の乾燥や増粘がしにくくなるので、加湿液滴ｗを１回吐出して加湿液滴ｗの加湿量を少なくする加湿駆動用データを生成するようにしてもよい。
【００７２】
具体的に、加湿制御部５０は、プリンタ装置１ａの周辺の気温が１０度から２０度、湿度が３０％以下、すなわち湿度が予め設定されている閾値より低いとき、印画画像の内容に関係なく、６００ｄｐｉの密度で２発ずつ加湿液滴ｗを吐出する加湿駆動用データを生成する。これに対して、加湿制御部５０は、プリンタ装置１ａの周辺の気温が１０度から２０度であるが、湿度が３０％から４０％、すなわち湿度が予め設定されている閾値より高いとき、印画画像の内容に関係なく、６００ｄｐｉの密度で１発ずつ加湿液滴ｗを吐出する加湿駆動用データを生成する。
【００７３】
以上のような構成を有するプリンタ装置１ａは、搬送機構２１によりヘッドカートリッジ３とプラテン板２０との間に搬送された記録紙２に、印画画像の内容に関係なく、プリンタ装置１ａの周辺の温度や湿度に応じた最適な一定の加湿量でノズル列１５ｗの全範囲に亘って加湿液滴ｗを吐出する。そして、プリンタ装置１ａは、記録紙２に吐出された加湿液滴ｗが記録紙２から蒸発することにより、印画中、加湿液のノズル列１５ｗの記録紙２の搬送方向の下流側に並設されたイエロ、マゼンタ、シアン、ブラックのノズル列１５ｙ，１５ｍ，１５ｃ，１５ｋ及びこれらの近傍を、プリンタ装置１ａの周辺の温度や湿度に応じた最適な一定の加湿量で全範囲に亘って加湿することができる。
【００７４】
したがって、プリンタ装置１ａは、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【００７５】
また、プリンタ装置１ａは、温度や湿度に応じた最適な一定の加湿量で加湿することにより、加湿液の使用量や加湿液の吐出に要するエネルギーを削減することができるとともに、湿度が高い場合、又は、温度が低い場合においても、加湿液の量を減らすことにより、インクのにじみやあふれを防止することができ、効果的に加湿を行うことができる。
【００７６】
また、プリンタ装置１は、加湿液滴ｗの量を、写真光沢紙やインクジェット専用紙やコピー用紙等の記録紙２の種類により異ならせるようにしてもよい。具体的に、加湿液滴ｗの量を、記録紙２の種類に応じたインク液滴及び加湿液滴ｗが受容可能な単位面積あたりの許容液滴量により異ならせるようにしてもよい。
【００７７】
以下、記録紙２の種類に応じたインク液滴及び加湿液滴ｗが受容可能な単位面積あたりの許容液滴量により加湿液滴ｗの加湿量を異ならせて、加湿液滴ｗを記録紙２に吐出するプリンタ装置１ｂについて説明する。なお、プリンタ装置１ｂは、上述したプリンタ装置１と同様の構成を有するので、構成については同じ符号を付して説明は省略する。
【００７８】
すなわち、上述したプリンタ装置１の加湿方法において、制御部４４は、外部の情報処理装置より印画データが入力されると、入力された印画データより印画画像が印画される記録紙２の種類を検出する。そして、制御部４４は、検出した記録紙２の種類より、記録紙２のインク液滴及び加湿液滴ｗが受容可能な単位面積あたりの許容液滴量を示す許容液滴量データを、例えば記録部４０から読み出し、加湿制御部５０に出力する。
【００７９】
そして、加湿制御部５０は、図１１に示すように、制御部４４より入力された記録紙２の許容液滴量データに応じて、加湿駆動パターン発生部６０により加湿液の発熱抵抗体１１ｗを駆動する加湿駆動用データを生成する。
【００８０】
例えば、加湿制御部５０は、インク液滴及び加湿液滴ｗが受容可能な単位面積あたりの許容液適量が予め設定されている閾値より大きな記録紙２のとき、加湿液滴ｗを吐出する解像度（密度）を高くして加湿液滴ｗの加湿量を多くする加湿駆動用データを生成する。また、加湿制御部５０は、単位面積あたりの許容液適量が予め設定されている閾値より小さな記録紙２のとき、インクのにじみやあふれを防止するため、加湿液滴ｗを吐出する解像度（密度）を低くして加湿液滴ｗの加湿量を少なくする加湿駆動用データを生成する。
【００８１】
具体的に、加湿制御部５０は、写真光沢紙やインクジェット専用紙等のインク液滴及び加湿液滴ｗが受容可能な単位面積あたりの許容液滴量が予め設定されている閾値より大きな記録紙２のとき、印画画像の内容に関係なく、６００ｄｐｉの密度で１発ずつ加湿液滴ｗを吐出する加湿駆動用データを生成する。これに対して、加湿制御部５０は、コピー用紙等の単位面積あたりの許容液適量が予め設定されている閾値より小さい記録紙２のとき、印画画像の内容に関係なく、２００ｄｐｉの密度で１発ずつ加湿液滴ｗを吐出する加湿駆動用データを生成する。
【００８２】
そして、加湿制御部５０は、加湿駆動パターン発生部６０により生成された加湿駆動用データを加湿液の発熱抵抗体１１ｗに出力し、加湿液の発熱抵抗体１１ｗを駆動する。なお、加湿制御部５０は、記録紙２のインク液滴及び加湿液滴ｗが受容可能な単位面積あたりの許容液滴量に応じて、加湿液滴ｗを吐出する回数を異ならせることで、加湿液滴ｗの加湿量を異ならせるようにしてもよい。
【００８３】
以上のような構成を有するプリンタ装置１ｂは、搬送機構２１によりヘッドカートリッジ３とプラテン板２０との間に搬送された記録紙２に、印画画像の内容に関係なく、記録紙２の種類、具体的に、記録紙２のインク液滴及び加湿液滴ｗが受容可能な単位面積あたりの許容液滴量に応じた最適な一定の加湿量でノズル列１５ｗの全範囲に亘って加湿液滴ｗを吐出する。そして、プリンタ装置１ｂは、記録紙２に吐出された加湿液滴ｗが記録紙２から蒸発することにより、印画中、加湿液のノズル列１５ｗの記録紙２の搬送方向の下流側に並設されたイエロ、マゼンタ、シアン、ブラックのノズル列１５ｙ，１５ｍ，１５ｃ，１５ｋ及びこれらの近傍を、記録紙２のインク液滴及び加湿液滴ｗが受容可能な単位面積あたりの許容液滴量に応じた最適な一定の加湿量で全範囲に亘って加湿することができる。
【００８４】
したがって、プリンタ装置１ｂは、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【００８５】
また、プリンタ装置１ｂは、記録紙２の単位面積あたりの許容液滴量に応じた最適な一定の加湿量で加湿することにより、加湿液の使用量や加湿液の吐出に要するエネルギーを削減することができるとともに、許容液滴量の小さな記録紙２に印画する場合においても、インクのにじみやあふれを防止することができ、効果的に加湿を行うことができる。
【００８６】
また、加湿液滴ｗの量を、印画速度により異ならせるようにしてもよい。
【００８７】
以下、印画速度により加湿液滴ｗの加湿量を異ならせて、加湿液滴ｗを記録紙２に吐出するプリンタ装置１ｃについて説明する。なお、プリンタ装置１ｃは、上述したプリンタ装置１と同様の構成を有するので、構成については同じ符号を付して説明は省略する。
【００８８】
すなわち、上述したプリンタ装置１の加湿方法において、制御部４４は、外部の情報処理装置より印画データが入力されると、入力された印画データより印画画像が印画される印画速度を検出する。そして、制御部４４は、検出した印画速度を示す印画速度データを加湿制御部５０に出力する。
【００８９】
そして、加湿制御部５０は、図１１に示すように、制御部４４より入力された印画速度データに応じて、加湿駆動パターン発生部６０により加湿液の発熱抵抗体１１ｗを駆動する加湿駆動用データを生成する。
【００９０】
例えば、加湿制御部５０は、印画速度が予め設定されている閾値より遅いとき、加湿液滴ｗを吐出する解像度（密度）を高くして加湿液滴ｗの加湿量を多くする加湿駆動用データを生成する。また、加湿制御部５０は、印画速度が予め設定されている閾値より速いとき、印画中の乾燥や増粘がしにくくなるので、加湿液滴ｗを吐出する解像度（密度）を低くして加湿液滴ｗの加湿量を少なくする加湿駆動用データを生成する。
【００９１】
具体的に、加湿制御部５０は、印画速度が予め設定されている閾値より遅いとき、印画画像の内容に関係なく、６００ｄｐｉの密度で１発ずつ加湿液滴ｗを吐出する加湿駆動用データを生成する。これに対して、加湿制御部５０は、印画速度が予め設定されている閾値より速いとき、印画画像の内容に関係なく、２００ｄｐｉの密度で１発ずつ加湿液滴ｗを吐出する加湿駆動用データを生成する。
【００９２】
そして、加湿制御部５０は、加湿駆動パターン発生部６０により生成された加湿駆動用データを加湿液の発熱抵抗体１１ｗに出力し、加湿液の発熱抵抗体１１ｗを駆動する。なお、加湿制御部５０は、印画速度に応じて、加湿液滴ｗを吐出する回数を異ならせることで、加湿液滴ｗの加湿量を異ならせるようにしてもよい。
【００９３】
以上のような構成を有するプリンタ装置１ｃは、搬送機構２１によりヘッドカートリッジ３とプラテン板２０との間に搬送された記録紙２に、印画画像の内容に関係なく、記録紙２の種類、具体的に、印画速度に応じた最適な一定の加湿量でノズル列１５ｗの全範囲に亘って加湿液滴ｗを吐出する。そして、プリンタ装置１ｃは、記録紙２に吐出された加湿液滴ｗが記録紙２から蒸発することにより、印画中、加湿液のノズル列１５ｗの記録紙２の搬送方向の下流側に並設されたイエロ、マゼンタ、シアン、ブラックのノズル列１５ｙ，１５ｍ，１５ｃ，１５ｋ及びこれらの近傍を、印画速度に応じた最適な一定の加湿量で全範囲に亘って加湿することができる。
【００９４】
したがって、プリンタ装置１ｃは、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【００９５】
また、プリンタ装置１ｃは、印画速度に応じた最適な一定の加湿量で加湿することにより、加湿液の使用量や加湿液の吐出に要するエネルギーを削減することができるとともに、印画速度が速い場合においても、インクのにじみやあふれを防止することができ、効果的に加湿を行うことができる。
【００９６】
また、加湿液滴ｗの量を、記録紙２の大きさや連続して印画する枚数により異ならせるようにしてもよい。
【００９７】
以下、記録紙２の大きさや連続して印画する枚数により加湿液滴ｗの加湿量を異ならせて、加湿液滴ｗを記録紙２に吐出するプリンタ装置１ｄについて説明する。なお、プリンタ装置１ｄは、上述したプリンタ装置１と同様の構成を有するので、構成については同じ符号を付して説明は省略する。
【００９８】
すなわち、上述したプリンタ装置１の加湿方法において、制御部４４は、外部の情報処理装置より印画データが入力されると、入力された印画データより印画する記録紙２の大きさや印画する枚数等を示す記録紙サイズデータを、加湿制御部５０に出力する。
【００９９】
そして、加湿制御部５０は、図１１に示すように、制御部４４より入力された記録紙サイズデータに応じて、加湿駆動パターン発生部６０により加湿液の発熱抵抗体１１ｗを駆動する加湿駆動用データを生成する。
【０１００】
例えば、加湿制御部５０は、記録紙２の大きさや印画する枚数が予め設定されている閾値より大きい又は多いとき、加湿液滴ｗを吐出する解像度（密度）を高くして加湿液滴ｗの加湿量を多くする加湿駆動用データを生成する。また、加湿制御部５０は、記録紙２の大きさや印画する枚数が予め設定されている閾値より小さい又は少ないとき、印画時間が短いために印画中の乾燥や増粘がしにくくなるので、加湿液滴ｗを吐出する解像度（密度）を低くして加湿液滴ｗの加湿量を少なくする加湿駆動用データを生成する。
【０１０１】
具体的に、加湿制御部５０は、記録紙２の大きさや印画する枚数が予め設定されている閾値より大きい又は多いとき、印画画像の内容に関係なく、６００ｄｐｉの密度で１発ずつ加湿液滴ｗを吐出する加湿駆動用データを生成する。これに対して、加湿制御部５０は、記録紙２の大きさや印画する枚数が予め設定されている閾値より小さい又は少ないとき、印画画像の内容に関係なく、２００ｄｐｉの密度で１発ずつ加湿液滴ｗを吐出する加湿駆動用データを生成する。
【０１０２】
そして、加湿制御部５０は、加湿駆動パターン発生部６０により生成された加湿駆動用データを加湿液の発熱抵抗体１１ｗに出力し、発熱抵抗体１１ｗを駆動する。なお、加湿制御部５０は、記録紙２の大きさや印画する枚数に応じて、加湿液滴ｗを吐出する回数を異ならせることで、加湿液滴ｗの加湿量を異ならせるようにしてもよい。
【０１０３】
以上のような構成を有するプリンタ装置１ｄは、搬送機構２１によりヘッドカートリッジ３とプラテン板２０との間に搬送された記録紙２に、印画画像の内容に関係なく、記録紙２の種類、具体的に、記録紙２の大きさや印画する枚数に応じた最適な一定の加湿量でノズル列１５ｗの全範囲に亘って加湿液滴ｗを吐出する。そして、プリンタ装置１ｄは、記録紙２に吐出された加湿液滴ｗが記録紙２から蒸発することにより、印画中、加湿液のノズル列１５ｗの記録紙２の搬送方向の下流側に並設されたイエロ、マゼンタ、シアン、ブラックのノズル列１５ｙ，１５ｍ，１５ｃ，１５ｋ及びこれらの近傍を、記録紙２の大きさや印画する枚数に応じた最適な一定の加湿量で全範囲に亘って加湿することができる。
【０１０４】
したがって、プリンタ装置１ｄは、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【０１０５】
また、プリンタ装置１ｄは、記録紙２の大きさや印画する枚数に応じた最適な一定の加湿量で加湿することにより、加湿液の使用量や加湿液の吐出に要するエネルギーを削減することができるとともに、記録紙２の大きさや印画する枚数が小さい又は少ない場合においても、インクのにじみやあふれを防止することができ、効果的に加湿を行うことができる。
【０１０６】
また、プリンタ装置１のように、印画中に、印画画像の内容に関係なく、一定の加湿量で記録紙２の全範囲に亘って加湿液滴ｗを吐出することに限定されるものではなく、印画画像の内容に応じて、加湿液滴ｗの加湿量を異ならせるようにしてもよい。具体的に、記録紙２の搬送方向の最も上流側に配設されたノズル列１５ｙが記録紙２にインクを吐出しない領域、すなわち、印画しない領域に、加湿液滴ｗを吐出するようにしてもよい。
【０１０７】
以下、記録紙２の搬送方向の最も上流側に配設されたノズル列１５ｙが記録紙２にインクを吐出しない領域に加湿液滴ｗを吐出するプリンタ装置１ｅについて説明する。なお、プリンタ装置１ｅは、上述したプリンタ装置１と同様の構成を有するので、構成については同じ符号を付して説明は省略する。
【０１０８】
すなわち、上述したプリンタ装置１の加湿方法において、インク制御部５１は、図１２に示すように、外部の情報処理装置等から制御部４４を介して入力された印画データを、色変換部６１によりインク色に対応する４色、すなわちイエロ（Ｙ），マゼンタ（Ｍ），シアン（Ｃ），ブラック（Ｋ）の色データに変換する。そして、インク制御部５１は、色変換部６１により変換された色データを階調補正部６２により階調補正する。そして、インク制御部５１は、階調補正部６２により階調補正された色データをハーフトーニング部６３により各色の発熱抵抗体１１ｙ，１１ｍ，１１ｃ，１１ｋを駆動するインク駆動用データに変換する。そして、インク制御部５１は、記録紙２の搬送方向の最も上流側に配設されたイエロの発熱抵抗体１１ｙのインク駆動用データを加湿制御部５０に出力する。なお、ここでは、図７に示す第１乃至第６の印画領域７０，７１，７２，７３，７４，７５は、印画画像のうち、イエロが対応する印画領域として説明する。
【０１０９】
そして、加湿制御部５０は、インク制御部５１より入力されたイエロの発熱抵抗体１１ｙのインク駆動用データに応じて、加湿駆動パターン発生部６０により、印画画像のうち、イエロが対応する図７に示すような第１乃至第６の印画領域７０，７１，７２，７３，７４，７５以外のイエロが対応しない図１３に示すような非印画領域８０を検出する。そして、加湿制御部５０は、図１３に示すようなこの非印画領域８０において加湿液の発熱抵抗体１１ｗを駆動し、加湿液滴ｗを吐出する加湿駆動用データを生成する。そして、加湿制御部５０は、加湿駆動パターン発生部６０により生成された加湿位置に応じた加湿駆動用データを加湿液の発熱抵抗体１１ｗに出力し、発熱抵抗体１１ｗを駆動する。
【０１１０】
上述したプリンタ装置１の加湿方法において、インク制御部５１は、印画位置に応じたインク駆動用データを各色の発熱抵抗体１１ｙ，１１ｍ，１１ｃ，１１ｋに出力し、発熱抵抗体１１ｙ，１１ｍ，１１ｃ，１１ｋを駆動する。
【０１１１】
そして、インク制御部５１は、イエロのノズル列１５ｙ、マゼンタのノズル列１５ｍ、シアンのノズル列１５ｃ、ブラックのノズル列１５ｋから、インク液滴を記録紙２に吐出し、印画データに応じた印画画像を記録紙２に記録し、印画画像の印画を行う。
【０１１２】
以上のような構成を有するプリンタ装置１ｅは、印画中に、搬送機構２１によりヘッドカートリッジ３とプラテン板２０との間に搬送された記録紙２の、印画画像のうち、イエロが対応する第１乃至第６の印画領域７０，７１，７２，７３，７４，７５以外のイエロが対応しない非印画領域８０に、加湿液滴ｗを吐出する。その結果、プリンタ装置１ｅは、各色のインクの中で記録紙２の搬送方向の最も上流側に並設されたイエロのノズル列１５ｙに関しては、吐出しないときにも、記録紙２に吐出された加湿液滴ｗが記録紙２から蒸発することにより、加湿されるので、吐出面１２のインクの乾燥、増粘を防止することができるとともに、イエロのノズル列１５ｙの記録紙２の搬送方向の下流側に並設されたマゼンタ、シアン、ブラックのノズル列１５ｍ，１５ｃ，１５ｋに関しては、吐出しないときも、加湿液かイエロのインクかのいずれかが記録紙２から蒸発することにより、吐出面１２は加湿され、吐出面１２のインクが乾燥したり、増粘したりするのを防ぐことができる。
【０１１３】
したがって、プリンタ装置１ｅは、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【０１１４】
また、プリンタ装置１ｅは、イエロが対応しない非印画領域８０のみに、加湿液を吐出することにより、加湿液の使用量や加湿液の吐出に要するエネルギーを削減することができ、効果的に加湿を行うことができるとともに、インクのにじみやあふれを防止することができる。
【０１１５】
また、記録紙２の搬送方向の最も上流側に配設されたノズル列１５ｙが記録紙２にインクを吐出しない領域のみに、加湿液滴ｗを吐出することに限定されるものではなく、インクを吐出する領域より多めに加湿液滴ｗを吐出するようにしてもよい。
【０１１６】
以下、記録紙２の搬送方向の最も上流側に配設されたノズル列１５ｙが記録紙２にインクを吐出しない領域に、このノズル列１５ｙがインクを吐出する領域より多めに加湿液滴ｗを吐出するプリンタ装置１ｆについて説明する。なお、プリンタ装置１ｆは、上述したプリンタ装置１ｅと、ノズル列１５ｙのインク駆動用データを加湿制御部５０に出力する所まで同じなので説明を省略する。
【０１１７】
すなわち、上述したプリンタ装置１ｅの加湿方法において、加湿制御部５０は、図１４に示すような非印画領域８０において加湿液の発熱抵抗体１１ｗを駆動し、加湿液滴ｗを例えば２度吐出するとともに、第１乃至第６の印画領域７０，７１，７２，７３，７４，７５において加湿液滴ｗを例えば１度吐出する加湿駆動用データを生成する。そして、加湿制御部５０は、生成した加湿駆動用データを加湿液の発熱抵抗体１１ｗに出力し、発熱抵抗体１１ｗを駆動する。
【０１１８】
なお、非印画領域８０及び第１乃至第６の印画領域７０，７１，７２，７３，７４，７５において吐出する回数は、インク液滴を吐出することでインクの乾燥や増粘を防止することができるので、非印画領域８０に吐出する回数が第１乃至第６の印画領域７０，７１，７２，７３，７４，７５に吐出する回数より多めに吐出するものであれば、適宜変更可能である。
【０１１９】
以上のような構成を有するプリンタ装置１ｆは、印画中に、搬送機構２１によりヘッドカートリッジ３とプラテン板２０との間に搬送された記録紙２の、印画画像のうち、イエロが対応する第１乃至第６の印画領域７０，７１，７２，７３，７４，７５以外のイエロが対応しない非印画領域８０に、加湿液滴ｗを２回吐出する。そして、プリンタ装置１ｆは、イエロが対応する第１乃至第６の印画領域７０，７１，７２，７３，７４，７５に加湿液を１回吐出する。この結果、各色のインクの中で記録紙２の搬送方向の最も上流側に並設されたイエロのノズル列１５ｙに関しては、吐出しないときにも、記録紙２に吐出された加湿液滴ｗ２回分が記録紙２から蒸発することにより、加湿液滴ｗ１回分以上に加湿されるので、吐出面１２のインクの乾燥、増粘を防止することができるとともに、イエロのノズル列１５ｙの記録紙２の搬送方向の下流側に並設されたマゼンタ、シアン、ブラックのノズル列１５ｍ，１５ｃ，１５ｋに関しては、吐出しないときも、加湿液滴ｗ２回分かイエローインク滴＋加湿液滴ｗ１回分かのいずれかが記録紙２から蒸発することにより、吐出面１２は加湿液滴ｗ１回分以上に加湿され、吐出面１２のインクが乾燥したり、増粘したりするのを防ぐことができる。
【０１２０】
したがって、プリンタ装置１ｅは、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【０１２１】
また、プリンタ装置１ｆは、イエロが対応しない非印画領域８０に、加湿液を２回吐出し、イエロが対応する第１乃至第６の印画領域７０，７１，７２，７３，７４，７５に、加湿液を１回吐出することにより、加湿液の使用量や加湿液の吐出に要するエネルギーを削減することができ、効果的に加湿を行うことができる。
【０１２２】
また、印画画像の内容に応じて、加湿液滴ｗの量を異ならせるようにしてもよい。具体的に、加湿液滴ｗの量を、記録紙２のインク液滴及び加湿液滴ｗが受容可能な単位面積あたりの許容液滴量により異ならせるようにしてもよい。
【０１２３】
以下、記録紙２のインク液滴及び加湿液滴ｗが受容可能な単位面積あたりの許容液滴量により加湿液滴ｗの加湿量を異ならせて、加湿液滴ｗを記録紙２に吐出するプリンタ装置１ｇについて説明する。なお、プリンタ装置１ｇは、上述したプリンタ装置１と同様の構成を有するので、構成については同じ符号を付して説明は省略する。
【０１２４】
すなわち、上述したプリンタ装置１の加湿方法において、制御部４４は、外部の情報処理装置より印画データが入力されると、入力された印画データより印画画像が印画される記録紙２の種類を検出する。そして、制御部４４は、検出した記録紙２のインク液滴及び加湿液滴ｗが受容可能な単位面積あたりの許容液滴量を示す許容液滴量データを、例えば記録部４０から読み出し、加湿制御部５０に出力する。
【０１２５】
また、インク制御部５１は、図１５に示すように、外部の情報処理装置等から制御部４４を介して入力された印画データを色変換部６１によりインク色に対応する４色、すなわちイエロ，マゼンタ，シアン，ブラックの色データに変換する。そして、インク制御部５１は、色変換部６１により変換された色データを階調補正部６２により階調補正する。
【０１２６】
そして、インク制御部５１は、階調補正部６２により階調補正された色データをハーフトーニング部６３により各色の発熱抵抗体１１ｙ，１１ｍ，１１ｃ，１１ｋを駆動するインク駆動用データに変換する。そして、インク制御部５１は、各色のインク駆動用データを加湿制御部５０に出力する。
【０１２７】
そして、加湿制御部５０は、制御部４４より入力された許容液滴量データ及びインク制御部５１より入力された各色の発熱抵抗体１１のインク駆動用データに応じて、加湿駆動パターン発生部６０により、記録紙２に吐出されるインクの加湿量が、記録紙２の単位画素あたりの許容液滴数に達していない非許容液滴数領域を検出する。そして、加湿制御部５０は、この非許容液滴数領域において加湿液の発熱抵抗体１１ｗを駆動し、記録紙２の許容液滴数を超えない程度に加湿液滴ｗを吐出する加湿駆動用データを生成する。そして、加湿制御部５０は、加湿駆動パターン発生部６０により生成された加湿位置に応じた加湿駆動用データを加湿液の発熱抵抗体１１ｗに出力し、加湿液の発熱抵抗体１１ｗを駆動する。
【０１２８】
上述したプリンタ装置１の加湿方法において、インク制御部５１は、印画位置に応じたインク駆動用データを各色の発熱抵抗体１１ｙ，１１ｍ，１１ｃ，１１ｋに出力し、発熱抵抗体１１ｙ，１１ｍ，１１ｃ，１１ｋを駆動する。
【０１２９】
そして、インク制御部５１は、イエロのノズル列１５ｙ、マゼンタのノズル列１５ｍ、シアンのノズル列１５ｃ、ブラックのノズル列１５ｋから、インク液滴を記録紙２に吐出し、印画データに応じた印画画像を記録紙２に記録し、印画画像の印画を行う。
【０１３０】
以上のような構成を有するプリンタ装置１ｇは、印画中に、搬送機構２１によりヘッドカートリッジ３とプラテン板２０との間に搬送された記録紙２の、記録紙２に吐出されるインクの加湿量が、記録紙２の単位画素あたりの許容液滴数に達していない非許容液滴数領域に、記録紙２の許容液滴数を超えない程度に加湿液を吐出する。そして、プリンタ装置１ｇは、記録紙２に吐出された加湿液滴ｗが記録紙２から蒸発することにより、加湿液のノズル列１５ｗの記録紙２の搬送方向の下流側に並設されたイエロ、マゼンタ、シアン、ブラックのノズル列１５ｙ，１５ｍ，１５ｃ，１５ｋ及びこれらの近傍を、単位面積あたりの許容液滴量を超えることなく、加湿することができる。
【０１３１】
したがって、プリンタ装置１ｇは、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【０１３２】
また、プリンタ装置１ｇは、印画画像の内容及び記録紙２の単位面積あたりの許容液滴量に応じた最適な加湿量で加湿することにより、加湿液の使用量や加湿液の吐出に要するエネルギーを削減することができるとともに、単位面積あたりの許容液滴量を超えることなく、インクのにじみやあふれを防止することができ、効果的に加湿を行うことができる。
【０１３３】
なお、プリンタ装置１，１ａ，１ｂ，１ｃ，１ｄ，１ｅ，１ｆ，１ｇは、加湿液のノズル列１５ｗが、記録紙２の搬送方向の最も上流側に１個配設されることに限定されるものではなく、例えば乾燥や増粘しやすいインクを用いている等、重点的に加湿したい色のインクの記録紙２の搬送方向の上流側に配設されるようにしてもよい。
【０１３４】
すなわち、プリンタ装置１，１ａ，１ｂ，１ｃ，１ｄ，１ｅ，１ｆ，１ｇは、加湿液のノズル列１５ｗが、例えば、ブラックのノズル列１５ｋの記録紙２の搬送方向の上流側に配設されるようにしてもよい。これにより、プリンタ装置１，１ａ，１ｂ，１ｃ，１ｄ，１ｅ，１ｆ，１ｇは、ブラックのノズル列１５ｋを重点的に加湿することができ、印画中にブラックの吐出面１２のインクの乾燥や増粘を防止することができる。
【０１３５】
また、プリンタ装置１，１ａ，１ｂ，１ｃ，１ｄ，１ｅ，１ｆ，１ｇは、イエロのノズル列１５ｙ及びブラックのノズル列１５ｋの記録紙２の搬送方向の上流側にそれぞれ配設されるようにしてもよい。これにより、プリンタ装置１，１ａ，１ｂ，１ｃ，１ｄ，１ｅ，１ｆ，１ｇは、イエロ及びブラックのノズル列１５ｙ，１５ｋを重点的に加湿することができ、印画中にイエロ及びブラックの吐出面１２のインクの乾燥や増粘を防止することができる。
【０１３６】
更に、プリンタ装置１，１ａ，１ｂ，１ｃ，１ｄ，１ｅ，１ｆ，１ｇは、ヘッドカートリッジ３に装着される各色のノズル列１５ｙ，１５ｍ，１５ｃ，１５ｋの記録紙２の搬送方向の上流側にそれぞれ配設されるようにしてもよい。これにより、プリンタ装置１，１ａ，１ｂ，１ｃ，１ｄ，１ｅ，１ｆ，１ｇは、各色のノズル列１５ｙ，１５ｍ，１５ｃ，１５ｋを重点的に加湿することができ、印画中に各吐出面１２のインクの乾燥や増粘をより確実に防止することができる。
【０１３７】
また、プリンタ装置１，１ａ，１ｂ，１ｃ，１ｄ，１ｅ，１ｆ，１ｇは、１つのヘッドカートリッジ３に、イエロ、シアン、マゼンダ、ブラック及び加湿液のインクカートリッジ１０が装着される、いわゆるマルチライン型のインクジェットプリンタ装置であることに限定されるものではなく、それぞれ独立したヘッドカートリッジ３を設けたものでもよい。
【０１３８】
また、プリンタ装置１，１ａ，１ｂ，１ｃ，１ｄ，１ｅ，１ｆ，１ｇは、ラインヘッド型のプリンタ装置に限定されるものではなく、シリアルヘッド型のインクジェットプリンタ装置であってもよい。シリアルヘッド型のインクジェットプリンタ装置であっても、各色のノズル列１５ｙ，１５ｍ，１５ｃ，１５ｋよりインク液滴を記録紙２に吐出する前に、ノズル列１５ｗより加湿液滴ｗを記録紙２に吐出し、記録紙２に吐出された加湿液滴ｗが記録紙２から蒸発することで、各色のノズル列１５ｙ，１５ｍ，１５ｃ，１５ｋを加湿することができる。したがって、シリアルヘッド型のインクジェットプリンタ装置であっても、印画中に各吐出面１２のインクの乾燥や増粘を防止することができる。これにより、ヘッドカートリッジ３は、印画中にインクの乾燥や増粘によって不吐出になったり、吐出方向が曲がったりすることを防止することができる。
【０１３９】
また、印画内容によって、たとえば、文字データのエッジ部や罫線のエッジ部など特ににじませたくないところは、加湿液を打ち込まないようにしても良い。
【０１４０】
また、説明が煩雑になるので、説明を省略するが、湿度や印画速度等の条件と印画内容によって、加湿パターンを変える等、上記に説明した例の複数の組合せにより、加湿パターンを変え、印画中に各吐出面１２のインクの乾燥や増粘を防止するようにしても良い。
【０１４１】
また、本発明の例では圧力発生素子として発熱抵抗体を用いる例を示したが、これはピエゾ素子等他の圧力発生素子でもよい。更に、圧力発生素子のかわりに静電電解をかけてインクを飛ばすようなものでもよい。
【０１４２】
また、本発明の例では、加湿液の量をコントロールするのに液滴数や、液滴を打つパターンの解像度を変える方法を示したが、液滴サイズそのものを変える方法を用いても良い。液滴サイズを変える方法としては、異なるノズル径の吐出部を用いる方法、圧力発生素子としてピエゾ素子を用いて駆動波形でコントロールする方法、圧力発生素子として発熱抵抗体を用いて予備パルスと本パルスのダブルパルスで駆動し、この２つのパルスのパルス幅や間隔を変えることで吐出液量をコントロールする方法などさまざまな方法を用いることができる。
【０１４３】
また、本発明の例ではインクカートリッジ１０が、ヘッドカートリッジ３に搭載されているが、インクカートリッジ１０は、ヘッドカートリッジ３に搭載されず、本体に搭載され、チューブなどでヘッドカートリッジ３にインクを供給する形をとっても良い。
【０１４４】
また、本発明の例ではノズル列１５のならびとして、記録紙２の搬送方向上流からイエロ、マゼンタ、シアン、ブラックの順としているが、インク順はこれに限定するものではなく、色数、色の種類もこれに限定するものではない。
【図面の簡単な説明】
【０１４５】
【図１】本発明が適用されたプリンタ装置の概略斜視図である。
【図２】本発明が適用されたプリンタ装置の概略正面図である。
【図３】ヘッドカートリッジの吐出面を示す平面図である。
【図４】（Ａ）は、記録紙に加湿液滴を吐出する状態を示す正面図であり、（Ｂ）は、記録紙に吐出された加湿液滴が記録紙から蒸発することにより、ノズル列及びこの近傍を加湿する状態を示す断面図である。
【図５】システムコントローラのブロック図である。
【図６】吐出制御部のブロック図である。
【図７】印画画像の一例を示した図である。
【図８】（Ａ）は、３００ｄｐｉの密度で１発ずつ一定に加湿液滴を吐出する加湿駆動用データを示し、（Ｂ）は、６００ｄｐｉの密度で１発ずつ一定に加湿液滴を吐出する加湿駆動用データを示す図である。
【図９】印画画像の他の一例を示した図である。
【図１０】湿度計測データ及び温度計測データに応じて、加湿液滴の量を異ならせて吐出するときの吐出制御部のブロック図である。
【図１１】記録紙の許容液滴量、印画速度、及び記録紙の大きさや枚数に応じて、加湿液滴の量を異ならせて吐出するときの吐出制御部のブロック図である。
【図１２】記録紙の搬送方向の最も上流側に配設されたノズル列が記録紙にインクを吐出しない領域に、加湿液滴を吐出するとき、及び、記録紙の搬送方向の最も上流側に配設されたノズル列が記録紙にインクを吐出しない領域に、インクを吐出する領域より多めに加湿液滴を吐出するときの吐出制御部のブロック図である。
【図１３】記録紙の搬送方向の最も上流側に配設されたノズル列が記録紙にインクを吐出しない領域に、加湿液滴を吐出するときの加湿駆動用データの一例を示す図である。
【図１４】記録紙の搬送方向の最も上流側に配設されたノズル列が記録紙にインクを吐出しない領域に、インクを吐出する領域より多めに加湿液滴を吐出するときの加湿駆動用データの一例を示す図である。
【図１５】インクの加湿量が、記録紙の単位画素当たり許容液滴数に達していない領域に、加湿液滴を吐出するときの吐出制御部のブロック図である。
【符号の説明】
【０１４６】
１  プリンタ装置、２  記録紙、３  ヘッドカートリッジ、４  装置本体、１０  インクカートリッジ、１１  発熱抵抗体、１２  吐出面、１３  ノズル、１４  ノズル単位、１５  ノズル列、２０  プリテン板、２１  搬送機構、２２  システムコントローラ、２３  湿度センサ、２４  温度センサ、３０  送りローラ、３１  ピンチローラ、３２  排紙ローラ、３３  拍車、３４  駆動部、３５  駆動部、４０  記録部、４１  ＲＯＭ、４２  ＲＡＭ、４３  吐出制御部、４４  制御部、５０  加湿制御部、５１  インク制御部、６０  加湿駆動パターン発生部、６１  色変換部、６２  階調補正部、６３  ハーフトーニング部
【図１】
2010076319.tif 000003
【図２】
2010076319.tif 000004
【図３】
2010076319.tif 000005
【図４】
2010076319.tif 000006
【図５】
2010076319.tif 000007
【図６】
2010076319.tif 000008
【図７】
2010076319.tif 000009
【図８】
2010076319.tif 000010
【図９】
2010076319.tif 000011
【図１０】
2010076319.tif 000012
【図１１】
2010076319.tif 000013
【図１２】
2010076319.tif 000014
【図１３】
2010076319.tif 000015
【図１４】
2010076319.tif 000016
【図１５】
2010076319.tif 000017